(57)【要約】【課題】主に、簡単な構成で多くの太陽電池パネルを効率良く収容することができると共に、太陽電池パネルの出し入れを容易に行うことなどができるようにする。【解決手段】太陽電池輸送架台１は、複数枚の太陽電池パネル２を収容可能な箱枠状の収容部３を備えている。  収容部３が、太陽電池パネル２を縦置きにした状態で並べて収容保持可能なパネル保持部４を有している。  パネル保持部４は、箱枠状の収容部３の側部から太陽電池パネル２を横に出し入れ可能なものとなっている。【選択図】図５
2018104080.tif 000002
【特許請求の範囲】
【請求項１】
複数枚の太陽電池パネルを収容可能な箱枠状の収容部を備えると共に、
該収容部が、前記太陽電池パネルを縦置きにした状態で並べて収容保持可能なパネル保持部を有し、
該パネル保持部は、前記箱枠状の収容部の側部から前記太陽電池パネルを横に出し入れ可能なものであることを特徴とする太陽電池輸送架台。
【請求項２】
請求項１に記載の太陽電池輸送架台において、
前記箱枠状の収容部は、下部フレームと、該下部フレームの上方に設けられる一対の門型のフレームと、該一対の門型のフレームの上部間を連結する平行な一対の連結部材と、を有し、
前記パネル保持部は、前記下部フレームに設けられた下部仕切部材と、一対の前記連結部材に設けられた上部仕切部材と、を有することを特徴とする太陽電池輸送架台。
【請求項３】
請求項２に記載の太陽電池輸送架台において、
前記下部フレームは、矩形状をしており、
一対の前記門型のフレームは、前記下部フレームの対向する二辺の上方に設けられ、
平行な一対の前記連結部材は、一対の前記門型のフレームの上側のコーナー部間を連結し、
前記下部仕切部材は、前記下部フレームの対向する別の二辺に沿って複数設けられ、
前記上部仕切部材は、一対の前記連結部材のそれぞれに沿って複数設けられたことを特徴とする太陽電池輸送架台。
【請求項４】
請求項２または請求項３に記載の太陽電池輸送架台において、
前記下部仕切部材および前記上部仕切部材は、前記太陽電池パネルを保護可能な緩衝材を有していることを特徴とする太陽電池輸送架台。
【請求項５】
請求項２ないし請求項４のいずれか１項に記載の太陽電池輸送架台において、
前記複数の下部仕切部材および前記複数の上部仕切部材は、それぞれ前記太陽電池パネルが互いに干渉しない間隔を有して設置されたことを特徴とする太陽電池輸送架台。
【請求項６】
請求項２ないし請求項５のいずれか１項に記載の太陽電池輸送架台において、
前記連結部材は、前記収容部に対して着脱可能に取付けられていることを特徴とする太陽電池輸送架台。
【請求項７】
請求項２ないし請求項６のいずれか１項に記載の太陽電池輸送架台において、
前記下部仕切部材は、前記太陽電池パネルの幅方向への移動を許容可能な下部パネルガイドとされると共に、
前記上部仕切部材は、前記太陽電池パネルの前記幅方向への移動を許容可能な上部パネルガイドとされていることを特徴とする太陽電池輸送架台。
【請求項８】
請求項７に記載の太陽電池輸送架台において、
少なくとも前記下部パネルガイドは、前記太陽電池パネルの下辺に沿って幅方向へ延びる底面部を有することを特徴とする太陽電池輸送架台。
【請求項９】
請求項１ないし請求項８のいずれか１項に記載の太陽電池輸送架台において、
前記箱枠状の収容部は、外部の運搬機の支持腕部を前記太陽電池パネルの面と交差する方向へ向けて差し込むための腕挿入部を下部に有することを特徴とする太陽電池輸送架台。
【請求項１０】
請求項２ないし請求項９のいずれか１項に記載の太陽電池輸送架台において、
前記箱枠状の収容部は、運搬時の荷締めの際の前記箱枠状の収容部の変形による前記太陽電池パネルの損傷を防止可能な補強部を有することを特徴とする太陽電池輸送架台。
【請求項１１】
請求項１ないし請求項１０のいずれか１項に記載の太陽電池輸送架台において、
前記箱枠状の収容部は、吊上用のベルトを掛ける位置を規定可能なベルトガイドを有することを特徴とする太陽電池輸送架台。
【請求項１２】
請求項１ないし請求項１１のいずれか１項に記載の太陽電池輸送架台において、
前記箱枠状の収容部は、建物の屋根を構成する屋根フレームの上に載置可能な設置足を下部に有することを特徴とする太陽電池輸送架台。
【請求項１３】
請求項１ないし請求項１２のいずれか１項に記載の太陽電池輸送架台を、建物の屋根を構成する屋根フレームの上で、且つ、予め太陽電池パネルが設置されていない部分に設けられた水上パネルと水下パネルとの境界部に載置し、
前記太陽電池輸送架台の側部から内部に収容されている太陽電池パネルを横へ取り出して、前記屋根フレーム間の予め太陽電池パネルが設置されていない部分に直接設置することを特徴とする建物の施工方法。
【発明の詳細な説明】
【技術分野】
【０００１】
この発明は、太陽電池輸送架台、この太陽電池輸送架台を用いた建物の施工方法に関するものである。
【背景技術】
【０００２】
例えば、住宅などの建物の屋根に対して太陽電池パネルを設置することが行われている。
【０００３】
そして、このような太陽電池パネルを輸送するのに太陽電池輸送架台が用いられている（例えば、特許文献１、特許文献２参照）。
【先行技術文献】
【特許文献】
【０００４】
【特許文献１】特開２０１６−１３２４９９号公報
【特許文献２】特開２００５−１５３８８８号公報
【発明の概要】
【発明が解決しようとする課題】
【０００５】
しかしながら、上記特許文献１に記載された太陽電池輸送架台は、一枚ずつ梱包して箱詰めされた太陽電池パネルを収容するものとなっていたので、多くの太陽電池パネルを効率良く収容することができなかった。また、箱詰めにされた太陽電池パネルは、太陽電池輸送架台の上部から上下方向に出し入れするようになっていたので、出し入れが容易ではなかった。更に、太陽電池輸送架台から取り出した太陽電池パネルは、一枚ずつ箱から出して梱包を解く必要があったので、手間がかかっていた。
【０００６】
また、特許文献２に記載された太陽電池輸送架台は、太陽電池パネルを収容保持可能な段ボール製の架台の下面側に、フォークリフトなどで運搬可能な木製などのパレットを設置すると共に、段ボール製の架台を固縛バンドで固縛して形状を保持させるようにしたものとなっている。そのため、雨天時の耐久性が低く、運搬のために木製のパレットが別途必要になると共に、形状保持のために固縛バンドを用いることが必須となり、固縛バンドを外すと形状保持性が低下してしまう。
【０００７】
そこで、本発明は、主に、上記した問題点を解決することを目的としている。
【課題を解決するための手段】
【０００８】
上記課題を解決するために、本発明の太陽電池輸送架台は、複数枚の太陽電池パネルを収容可能な箱枠状の収容部を備えると共に、該収容部が、前記太陽電池パネルを縦置きにした状態で並べて収容保持可能なパネル保持部を有し、該パネル保持部は、前記箱枠状の収容部の側部から前記太陽電池パネルを横に出し入れ可能なものであることを特徴とする。
【発明の効果】
【０００９】
本発明によれば、上記構成によって、簡単な構成で多くの太陽電池パネルを効率良く収容することができると共に、太陽電池パネルの出し入れを容易に行うことなどができる。
【図面の簡単な説明】
【００１０】
【図１】本実施の形態にかかる太陽電池輸送架台の全体斜視図である。
【図２】図１の正面図である。
【図３】図１の側面図である。
【図４】図１の平面図である。
【図５】太陽電池パネルの出し入れの状態を示す太陽電池輸送架台の斜視図である。
【図６】図１の下部フレームを示すものであり、（ａ）は平面図、（ｂ）は正面図、（ｃ）は側面図である。
【図７】図１の門型のフレームを示すものであり、（ａ）は正面図、（ｂ）は平面図、（ｃ）は側面図である。
【図８】図１の連結部材を示すものであり、（ａ）は平面図、（ｂ）は外側面図、（ｃ）は内側面図、（ｄ）は（ｃ）のＡ−Ａ線に沿った断面図、（ｅ）は（ｃ）のＢ−Ｂ線に沿った（ベルトガイド部分の）断面図である。
【図９】図１の下部仕切部材を示すものであり、（ａ）は平面図、（ｂ）は側面図、（ｃ）は（ｂ）の部分拡大図である。
【図１０】連結部材の着脱の状態を示す図１と同様の斜視図である。
【図１１】腕挿入部を示す図１と同様の斜視図である。
【図１２】ベルトガイドを示す太陽電池輸送架台の斜視図である。
【図１３】設置足を示す太陽電池輸送架台の下部の正面図である。
【図１４】建物の施工方法の一部を示す太陽電池輸送架台の斜視図である。
【図１５】ユニット建物の全体斜視図である。
【図１６】ユニット建物の屋根構造を示す斜視図である。
【図１７】ユニット建物の屋根パネルの分解斜視図である。
【発明を実施するための形態】
【００１１】
以下、本実施の形態を、図面を用いて詳細に説明する。
図１〜図１７は、この実施の形態を説明するためのものである。
【実施例１】
【００１２】
＜構成＞以下、構成について説明する。
【００１３】
（１）太陽電池輸送架台について
【００１４】
太陽電池輸送架台１は、図１〜図４（主に、図１参照）に示すように、複数枚の太陽電池パネル２を収容可能な箱枠状の収容部３を備えている。この収容部３が、太陽電池パネル２を縦置きにした状態で並べて収容保持可能なパネル保持部４を有している。そして、図５に示すように、パネル保持部４は、箱枠状の収容部３の側部から太陽電池パネル２を横に出し入れ可能なものとなっている。
【００１５】
ここで、太陽電池輸送架台１は、複数枚の太陽電池パネル２を収容して一度に輸送できるようにするための架台のことである。太陽電池輸送架台１は、太陽電池パネル２を満載した時に、人力で取り扱える程度の大きさのものにするのが好ましい。
【００１６】
太陽電池パネル２は、矩形状をした板状体などとされている。太陽電池パネル２は、予め取付金具などが設置されたものとしても良いし、または、取付金具などが設置されていないものとしても良い。太陽電池パネル２は、梱包などがされていないむき出しの状態で太陽電池輸送架台１に収容される。
【００１７】
箱枠状の収容部３は、例えば、ほぼ直方体状をした枠体などとされる。箱枠状の収容部３は、形状保持性の高い鋼製のラックなどとされる。縦置きは、太陽電池パネル２の受光面となる面をほぼ上下方向に沿って配置した状態のことである。複数枚の太陽電池パネル２は受光面を同じ方向へ向けた状態で、ほぼ面直方向に並べて（側方視の投影方向で重なって）収容される。但し、太陽電池パネル２どうしは、互いに接触しないように並べられる。
【００１８】
パネル保持部４については後述する。収容部３の側部は、箱枠状の収容部３における、上面および下面以外の側面のことである。横に出し入れとは、箱枠状の収容部３の上面または下面と平行な方向へ出し入れすることである。
【００１９】
（２）箱枠状の収容部３は、図６に示すような下部フレーム１１と、図７に示すような門型のフレーム１２と、図８に示すような連結部材１３と、を有している。そして、下部フレーム１１には、図９に示すような下部仕切部材１４が設けられ、連結部材１３には図８に示すような上部仕切部材１５が設けられる。
【００２０】
ここで、下部フレーム１１、門型のフレーム１２、連結部材１３、下部仕切部材１４、上部仕切部材１５は、どのようなものとしても良いが、好ましくは以下のようにする。
【００２１】
（３）即ち、下部フレーム１１は、平面視ほぼ矩形状のものとされる。門型のフレーム１２は、下部フレーム１１の対向する二辺（この場合には、前後の横枠材１１ａ）の上方（または上部）に一対設けられる。連結部材１３は、一対の門型のフレーム１２の上側のコーナー部１２ａ間を連結するように平行に一対設けられる。
【００２２】
そして、上記したように、パネル保持部４は、図３（および図４）に示すような下部仕切部材１４と、図１（および図４）に示すような上部仕切部材１５と、を有している。下部仕切部材１４は、下部フレーム１１の対向する別の二辺（この場合には、縦枠材１１ｂ）に沿って複数設けられる。また、上部仕切部材１５は、一対の連結部材１３のそれぞれに沿って複数設けられる。
【００２３】
ここで、図６に示すように、下部フレーム１１は、平行な前後一対の横枠材１１ａと平行な左右一対の縦枠材１１ｂとを有する平面視ほぼ矩形状のものとされる。横枠材１１ａは、左右方向１７へ延びる角型鋼管などで構成される。縦枠材１１ｂは、前後方向１８へ延びる角型鋼管などで構成される。
【００２４】
図７に示すように、門型のフレーム１２は、少なくとも、平行な左右一対の柱１２ｂと、左右一対の柱１２ｂの上端部間を連結する上梁１２ｃとを有するものとされる。門型のフレーム１２の上側のコーナー部１２ａは、柱１２ｂの上端部および上梁１２ｃの端部の周辺などに形成される。柱１２ｂは、上下方向１９へ延びる角型鋼管などで構成される。上梁１２ｃは、左右方向１７へ延びる角型鋼管やＣ字断面の溝型鋼などで構成される。
【００２５】
図８に示すように、連結部材１３は、下部フレーム１１の縦枠材１１ｂの上方に縦枠材１１ｂと平行に左右一対設けられる。連結部材１３は、前後方向１８へ延びる断面がほぼＬ字状をした鋼製のアングル材などで構成される。
【００２６】
そして、図１（または図５）に示すように、箱枠状の収容部３に対し、太陽電池パネル２は、短辺をほぼ左右方向１７に向け、長辺をほぼ上下方向１９に向けた状態で、前後方向１８に複数枚並べて収容される。そして、箱枠状の収容部３に対し、太陽電池パネル２は、左右方向１７に出入り自在に収容される。
【００２７】
下部フレーム１１および門型のフレーム１２の幅は、太陽電池パネル２の短辺の長さとほぼ同じかそれよりも若干広いものとされる。また、門型のフレーム１２の高さは、太陽電池パネル２の長辺の長さとほぼ同じかそれよりも若干高いものとされる。
【００２８】
そして、連結部材１３は、Ｌ字断面のアングル材を太陽電池パネル２の上側の角部に沿うような向きに配置して一対の門型のフレーム１２のコーナー部１２ａの間に取付けられる。これにより、太陽電池パネル２の上側の角部を、Ｌ字断面のアングル材によって上下方向１９および左右方向１７に係止・保持することが可能な状態となる。そして、このＬ字断面のアングル材の下面側で且つ内面側に上部仕切部材１５が設置される。
【００２９】
下部仕切部材１４および上部仕切部材１５は、箱枠状の収容部３に収容される太陽電池パネル２間を仕切ることができればどのようなものでも良い。下部仕切部材１４および上部仕切部材１５は、上下に対を成すように設けられる。
【００３０】
（４）図９および図８に示すように、下部仕切部材１４および上部仕切部材１５は、太陽電池パネル２を保護可能な緩衝材２１を有しても良い。
【００３１】
ここで、緩衝材２１は、太陽電池パネル２を保護可能なものであれば何でも良い。緩衝材２１には、例えば、プラスチック段ボール（プラ段）などのような、変形復帰可能な樹脂製の中空構造体などを好適に使用することができる。緩衝材２１は、下部仕切部材１４および上部仕切部材１５の内部や外部や周辺などに対して適宜設けることができる。但し、緩衝材２１は、プラスチック段ボールに限るものではない。
【００３２】
（５）複数の下部仕切部材１４および複数の上部仕切部材１５は、それぞれ太陽電池パネル２が互いに干渉しない間隔１６を有して設置されるようにするのが好ましい。
【００３３】
ここで、干渉しない間隔１６は、太陽電池パネル２の厚み（取付金具を備えている場合には取付金具を含めた厚み）よりも大きい隙間を有するものとなる。
【００３４】
（６）図１０に示すように、連結部材１３は、収容部３に対して着脱可能に取付けられても良い。
【００３５】
ここで、左右一対の連結部材１３は、一方または両方が収容部３に対して着脱できるようにする。収容部３に対して連結部材１３を着脱可能とするために、例えば、門型のフレーム１２の柱１２ｂの上端部に予め溶接などによってナット３１を固定しておき（ウェルドナット）、このナット３１に対し連結部材１３の両端部をネジ止めによって着脱できるようにしても良い。この場合には、ナット３１とネジ３２が着脱部３３として機能するものとなる。
【００３６】
（７）図９に示すように、下部仕切部材１４は、太陽電池パネル２の幅方向への移動を許容可能な下部パネルガイド４１としても良い。また、図８に示すように、上部仕切部材１５は、太陽電池パネル２の幅方向への移動を許容可能な上部パネルガイド４２としても良い。
【００３７】
ここで、太陽電池パネル２の幅方向は、太陽電池輸送架台１に収容した状態で、太陽電池輸送架台１の左右方向１７となる。下部パネルガイド４１には、例えば、太陽電池輸送架台１の左右方向１７へ延びる上向きＵ字状のガイド部材などを用いることができる。同様に、上部パネルガイド４２には、例えば、太陽電池輸送架台１の左右方向１７へ延びる下向きＵ字状のガイド部材などを用いることができる。上部パネルガイド４２は、連結部材１３に対してそれぞれ設けられる。
【００３８】
（８）図９に示すように、少なくとも下部パネルガイド４１は、太陽電池パネル２の下辺に沿って幅方向へ延びる底面部５１を有するようにしても良い。
【００３９】
ここで、底面部５１は、下部パネルガイド４１を、下部フレーム１１の左右一対の縦枠材１１ｂ間に跨って左右方向１７へ延びる長尺のものとすることにより、太陽電池パネル２の下辺（下側の短辺）を全域に亘って案内可能なものとなる。
【００４０】
この長尺の下部パネルガイド４１は、上記したように太陽電池パネル２どうしが互いに干渉しない間隔１６を有して前後方向１８に複数配置される。そして、これらの両端部を前後方向１８へ延びる左右一対の取付フレーム５５間に固定することで全体が一体化されて面格子状または簀の子状の面状ガイド体となる。そして、左右一対の取付フレーム５５を下部フレーム１１の左右一対の縦枠材１１ｂの上部に着脱可能に取付けることで、面状ガイド体は下部フレーム１１のほぼ全面を覆う底面部材となるように設置される。
【００４１】
（９）図１１に示すように、箱枠状の収容部３は、外部の運搬機６１の支持腕部６２を太陽電池パネル２の面と交差する方向へ向けて差し込むための腕挿入部６３を下部に有するようにしても良い。
【００４２】
ここで、運搬機６１は、例えば、フォークリフトなどの走行体のことである。運搬機６１の支持腕部６２は、例えば、フォークリフトのフォークなどのことである。太陽電池パネル２の面と交差する方向は、太陽電池輸送架台１の前後方向１８のことである。
【００４３】
腕挿入部６３は、フォークリフトのフォークを差し込む部分のことであり、フォークリフト用のパレットの代わりとなるものである。この場合には、下部フレーム１１の少なくとも前側の横枠材１１ａの一側の下部にフォークリフトの一方のフォークが入るような逆ハット状の部材を一体に取付けて腕挿入部６３としている。但し、腕挿入部６３は、前側の横枠材１１ａの両側の下部に取付けるようにしても良い。
【００４４】
（１０）図１１に示すように、箱枠状の収容部３は、運搬時の荷締めの際の箱枠状の収容部３の変形による太陽電池パネル２の損傷を防止可能な補強部７１を有するようにしても良い。
【００４５】
ここで、運搬時の荷締めは、太陽電池輸送架台１をトラックの荷台に積んで搬送する際に、太陽電池輸送架台１を荷台にロープで縛り付けることである。太陽電池輸送架台１をロープで荷台に縛り付ける方向を、例えば、太陽電池輸送架台１のほぼ前後方向１８に設定した場合、補強部７１は、門型のフレーム１２の上梁１２ｃの強度を高めて成る補強梁とすることができる。また、門型のフレーム１２の柱１２ｂの上下方向１９の中間部などに対し、補強部７１として中間梁７２などを適宜設置するようにしても良い。
【００４６】
なお、太陽電池輸送架台１をロープで荷台に縛り付ける方向を、例えば、太陽電池輸送架台１のほぼ左右方向１７に設定する場合には、連結部材１３などを補強部７１とすることができる。
【００４７】
（１１）図１２に示すように、箱枠状の収容部３は、吊上用のベルト８１を掛ける位置を規定可能なベルトガイド８２，８３を有するようにしても良い。
【００４８】
ここで、吊上用のベルト８１は、例えば、太陽電池輸送架台１の左右の側面に掛けるように設定している。そのために、下部フレーム１１の左右の縦枠材１１ｂの両端部近傍の側面や下面にほぼＣ字状の部分を有するベルトガイド８２（ズレ防止金具）を取付けると共に、左右の連結部材１３の両端部近傍の側面にほぼＣ字状の部分を有するベルトガイド８３を取付けるようにしている。
【００４９】
なお、吊上用のベルト８１を、例えば、太陽電池輸送架台１の前後の側面に掛けるように設定した場合には、下部フレーム１１の前後の横枠材１１ａや、門型のフレーム１２の上梁１２ｃにベルトガイド８２，８３を設けることができる。
【００５０】
（１２）図１３に示すように、箱枠状の収容部３は、建物９１の屋根９２を構成する屋根フレーム９３の上に載置可能な設置足９４を下部に有するようにしても良い。
【００５１】
ここで、設置足９４は、左右方向１７へ延びる短い角型鋼管などとされている。設置足９４は、屋根９２を構成する屋根フレーム９３の間隔９５とほぼ等しい間隔を有して左右に対を成すように設けられる。そして、左右の設置足９４の内側の端部間が、屋根フレーム９３の間隔９５よりも狭くなり、左右の設置足９４の外側の端部間が、屋根フレーム９３の間隔９５よりも広くなるように設置足９４を設けている。この場合、設置足９４は、下部フレーム１１の左右の縦枠材１１ｂの両端部近傍および中間部の３箇所の位置に設けるようにしている（図１２参照）。設置足９４は、太陽電池輸送架台１の下部などに設けられる腕挿入部６３やベルトガイド８２が直接屋根９２や地面などに接触しないように、これらよりも高いものとする。設置足９４は、太陽電池輸送架台１を上下に段積みする際の支持部としても使用することができるようなものとされる。
【００５２】
（１３）この実施例の建物９１の施工方法について
建物９１の施工方法を以下のようにする。即ち、図１２、図１３に示すように、上記した太陽電池輸送架台１を、建物９１の屋根９２を構成する屋根フレーム９３の上で、且つ、予め太陽電池パネル２が設置されていない部分１０１に設けられた水上パネル１０２と水下パネル１０３との境界部１０４（繋ぎ目）の位置に載置する。次に、図１４に示すように、太陽電池輸送架台１の側部から内部に収容されている太陽電池パネル２を横へ取り出して、屋根フレーム９３間の予め太陽電池パネル２が設置されていない部分１０１に直接設置する。
【００５３】
ここで、図１５に示すような建物９１の屋根９２は、図１６に示すように、複数枚の屋根パネル１１０を横や縦に並べて設置することで構成されている。
【００５４】
そして、屋根パネル１１０は、図１７に示すように、平行な左右一対の屋根フレーム９３間に屋根葺材１１１を取付けることでパネル化されたものとなっており、屋根葺材１１１の上部には予め工場で太陽電池パネル２を設置できるようになっている。なお、屋根パネル１１０は、必ずしも工場で予め太陽電池パネル２を設置する必要はない。
【００５５】
屋根フレーム９３は、断面ほぼＣ字状をした金属製の枠材によって構成される。屋根葺材１１１は、例えば、溶融アルミニウムメッキ鋼板などによって構成される。一対の平行な屋根フレーム９３の内側部間には、屋根フレーム９３の長手方向に沿って勾配を有するガイド部１１２が形成され、上記屋根葺材１１１は、勾配を有するガイド部１１２の上部に、ガイド部１１２に沿って取付けられることにより（所要の排水）勾配を有するものとされる。ガイド部１１２は、屋根フレーム９３の内面に斜めに取付けられた木桟などの支持材１１３と、この支持材１１３の上面に取付けられた斜めの野地板（下地板１１４）とによって構成される。屋根葺材１１１とガイド部１１２との間には、ポリエチレンルーフィングなどの防水シートが介在される。
【００５６】
そして、図１４に示すように、屋根パネル１１０どうしの長手方向に対する繋ぎ目（境界部１０４）などにおける予め工場で太陽電池パネル２が設置されていない部分１０１の屋根葺材１１１が、水上パネル１０２や水下パネル１０３などとして露出される。太陽電池輸送架台１は、水上パネル１０２と水下パネル１０３との境界部１０４（繋ぎ目）が左右方向１７となるように向けて太陽電池パネル２が設置されていない部分１０１の屋根フレーム９３の上に載置されると共に、予め工場で太陽電池パネル２が設置されていない部分１０１に沿って左右方向１７に引き出される。
【００５７】
（１４）この実施例の建物９１について
【００５８】
この実施例の建物９１は、上記施工方法によって太陽電池パネル２が設置された屋根９２を有するものとされる。
【００５９】
ここで、建物９１は、どのようなものであっても良いが、例えば、図１５に示すようなユニット建物１２１としても良い。ユニット建物１２１は、工場で予め製造された建物ユニット１２２，１２３を建築現場へ搬送して、建築現場で組み立てることにより短期間のうちに構築できるようにしたものである。この場合、ユニット建物１２１は、下階を構成する建物ユニット１２２の上に、上階を構成する建物ユニット１２３を設けると共に、上階の建物ユニット１２３の上部に上記したような屋根パネル１１０を設置して成る多階構造のものとされている。各建物ユニット１２２，１２３は、例えば、図６に示すように、矩形状に組まれた金属製の床梁と天井梁１２６との間を金属製の柱１２７で接合したボックスラーメン構造のユニットフレームを有するものなどとされる。
【００６０】
＜作用＞以下、この実施例の作用について説明する。
【００６１】
この実施例の太陽電池輸送架台１は、工場などで製造された太陽電池パネル２を複数枚収容した状態で保管したり、建築現場へ輸送したりするのに使われる。そのために、太陽電池輸送架台１は、フォークリフトなどの運搬機６１で持ち上げ易いようになっており、また、トラックでの輸送に耐え得るようになっている。
【００６２】
更に、上記した太陽電池輸送架台１は、建築現場で屋根９２の上まで吊り上げて屋根９２の上に載せることができるようになっている。また、屋根９２の上での太陽電池パネル２の取付け作業にそのまま使えるように、太陽電池パネル２を簡単に取り出して屋根９２に容易に設置できるようになっている。
【００６３】
そして、太陽電池輸送架台１へ太陽電池パネル２を収容する場合には、箱枠状の収容部３に対して、どちらか一方の連結部材１３を取り外した状態にする。この状態で、箱枠状の収容部３の側部から下部パネルガイド４１の一つに太陽電池パネル２の下辺を差し入れ、下部パネルガイド４１の底面部５１に沿って太陽電池パネル２を奥へと横にスライドさせる。太陽電池パネル２が奥まで差し込まれると、太陽電池パネル２は、奥側で上側の角部が他方の連結部材１３に設けられた対を成す上部パネルガイド４２へ差し入れられるので、太陽電池パネル２は収容部３内に縦向きで保持されることになる。
【００６４】
以後、収容部３内に太陽電池パネル２が満載されるまで下部パネルガイド４１と上部パネルガイド４２との空いているものを用いて上記を繰り返す。収容部３内に太陽電池パネル２が満載されたら、一方の連結部材１３を取付けて、太陽電池パネル２の、手前側で上側の角部を一方の連結部材１３に設けられた上部パネルガイド４２へ差し入れるようにする。これにより、複数枚の太陽電池パネル２が互いに干渉しない状態で太陽電池輸送架台１へ収容・保持される。
【００６５】
（複数枚の太陽電池パネル２を収容した）太陽電池輸送架台１をフォークリフトなどの運搬機６１で持ち上げる場合には、フォークリフトなどの運搬機６１のフォークなどの支持腕部６２を太陽電池輸送架台１の下部に設けた腕挿入部６３へ太陽電池パネル２の面と交差する方向へ挿入する。これにより、安定して太陽電池輸送架台１を持ち上げたり運んだりすることができるようになる。
【００６６】
太陽電池輸送架台１をトラックの荷台に積み込んで輸送する場合には、荷台に太陽電池輸送架台１をロープでほぼ前後方向１８に縛り付けるようにする。この際、太陽電池輸送架台１は補強部７１によって必要な剛性が確保されているので、荷締めによって太陽電池パネル２が損傷するのが確実に防止される。
【００６７】
太陽電池輸送架台１を屋根９２の上まで吊り上げる場合には、ベルトガイド８２，８３に吊上用のベルト８１を掛けてクレーンで吊り上げるようにする。この際、太陽電池輸送架台１はベルトガイド８２，８３を有しているので、吊上用のベルト８１の位置がズレて太陽電池輸送架台１がバランスを崩すようなことがない。
【００６８】
太陽電池輸送架台１を屋根９２の上に載せる場合には、太陽電池輸送架台１の設置足９４を、建物９１の屋根９２を構成する屋根フレーム９３の上で、且つ、予め太陽電池パネル２が設置されていない部分１０１の水上パネル１０２と水下パネル１０３との境界部１０４に載置する。これにより、予め設置されている太陽電池パネル２に太陽電池輸送架台１による負荷が掛かるのが防止される。
【００６９】
太陽電池輸送架台１から太陽電池パネル２を取り出す場合には、上記とは反対に、どちらか一方の連結部材１３を取り外して、下部パネルガイド４１の底面部５１に沿って太陽電池パネル２を左右方向１７へスライドさせるようにする。そして、取り出した太陽電池パネル２を屋根９２の太陽電池パネル２が設置されていない部分１０１に設置する。これにより、太陽電池パネル２を取り出した方向に沿って上記した部分１０１に設置して行くことができる。
【００７０】
＜効果＞この実施例によれば、以下のような効果を得ることができる。
【００７１】
（効果１）複数枚の太陽電池パネル２を収容可能な箱枠状の収容部３を備えると共に、収容部３が、太陽電池パネル２を縦置きにした状態で並べて収容可能なパネル保持部４を有し、パネル保持部４は、箱枠状の収容部３の側部から太陽電池パネル２を横に出し入れ可能なものとした。
【００７２】
これにより、太陽電池輸送架台１が箱枠状の収容部３で主に構成されることとなるため、必要な剛性を確保しつつ太陽電池輸送架台１の軽量化を図ることができる。また、箱枠状の収容部３に太陽電池パネル２を縦置き状態で収容保持可能なパネル保持部４を備えることで、簡単な構成で多くの太陽電池パネル２を効率良く収容することができると共に、箱枠状の収容部３の側部から太陽電池パネル２を容易に出し入れし得るようにすることが可能となる。そして、箱枠状の収容部３を鋼製のラックとすることにより、雨天時の耐久性を確保すると共に、箱枠状の収容部３を固縛バンドで固縛して収容部３の形状保持を図る必要をなくすことができる。
【００７３】
（効果２）箱枠状の収容部３を、下部フレーム１１と、下部フレーム１１の上方に設けられる一対の門型のフレーム１２と、一対の門型のフレーム１２の上部間を連結する平行な一対の連結部材１３とを有するものとした。そして、パネル保持部４を、下部フレーム１１に設けられた下部仕切部材１４と、一対の連結部材１３に設けられた上部仕切部材１５とを有するものとした。これにより、軽量で多くの太陽電池パネル２を効率良く収容でき、しかも、太陽電池パネル２の出し入れが容易な太陽電池輸送架台１を得ることが可能となる。
【００７４】
（効果３）下部フレーム１１が矩形状とされ、一対の門型のフレーム１２が、下部フレーム１１の対向する二辺の上方に設けられ、平行な一対の連結部材１３が、一対の門型のフレーム１２の上側のコーナー部１２ａ間を連結し、下部仕切部材１４が、下部フレーム１１の対向する別の二辺に沿って複数設けられ、上部仕切部材１５が、一対の連結部材１３のそれぞれに沿って複数設けられ、複数の下部仕切部材１４および複数の上部仕切部材１５が、それぞれ太陽電池パネル２が互いに干渉しない間隔１６を有して設置されるようにした。
【００７５】
これにより、軽量で多くの太陽電池パネル２を効率良く収容でき、しかも、太陽電池パネル２の出し入れが容易な太陽電池輸送架台１を実施するための具体的な構造を得ることが可能となる。
【００７６】
（効果４）下部仕切部材１４および上部仕切部材１５を、太陽電池パネル２を保護可能な緩衝材２１を有するものとした。これにより、下部仕切部材１４および上部仕切部材１５で仕切られている太陽電池パネル２を緩衝材２１によってより確実に保護することができる。
【００７７】
（効果５）複数の下部仕切部材１４および複数の上部仕切部材１５が干渉を防止可能な間隔１６を有することで、収容部３に太陽電池パネル２を効率良く収容しつつ太陽電池パネル２の損傷を確実に防止することができる。
【００７８】
（効果６）連結部材１３を、収容部３に対して着脱可能に取付けるようにした。これにより、箱枠状の収容部３から連結部材１３を取り外すことで、収容部３に対して太陽電池パネル２を入れ易くすると共に、箱枠状の収容部３から太陽電池パネル２を取り出し易くすることができる。そして、収容部３に対して連結部材１３を取り付けることにより、箱枠状の収容部３から飛び出さないように太陽電池パネル２を確実に保持することができる。
【００７９】
（効果７）下部仕切部材１４を、太陽電池パネル２の幅方向への移動を許容可能な下部パネルガイド４１とすると共に、上部仕切部材１５は、太陽電池パネル２の幅方向への移動を許容可能な上部パネルガイド４２とした。これにより、箱枠状の収容部３に対し、太陽電池パネル２を幅方向へスライドさせて出し入れすることが可能となり、太陽電池パネル２の出し入れをスムーズにすることができる。
【００８０】
（効果８）少なくとも下部パネルガイド４１を、太陽電池パネル２の下辺に沿って幅方向へ延びる底面部５１を有するものとした。これにより、下部パネルガイド４１の底面部５１によって太陽電池パネル２の下辺全体を支持することができると共に、箱枠状の収容部３からの出し入れ時に、太陽電池パネル２の下辺をよりスムーズに案内することができる。
【００８１】
（効果９）箱枠状の収容部３が、外部の運搬機６１の支持腕部６２を太陽電池パネル２の面と交差する方向へ向けて差し込むための腕挿入部６３を下部に（一体的に）有するようにした。これにより、箱枠状の収容部３に収容された複数枚の太陽電池パネル２の下部を横切るように腕挿入部６３を差し込んだ状態で箱枠状の収容部３の下部をバランス良く支持することができるため、太陽電池パネル２に無用な負荷を与えることなく、箱枠状の収容部３を運搬機６１で持ち上げたり運搬したりすることが可能となる。また、収容部３を外部の運搬機６１で持ち上げたり運搬したりするのに、収容部３の下面側に運搬機６１用のパレットなどを別途設置する必要をなくすことができる。
【００８２】
（効果１０）箱枠状の収容部３が、運搬時の荷締めの際の箱枠状の収容部３の変形による太陽電池パネル２の損傷を防止可能な補強部７１を有するようにした。これにより、荷締めによって太陽電池パネル２が損傷するのを確実に防止することができる。
【００８３】
（効果１１）箱枠状の収容部３が、吊上用のベルト８１を掛ける位置を規定可能なベルトガイド８２，８３を有するようにした。これにより、箱枠状の収容部３の所定の位置に設けられたベルトガイド８２，８３に吊上用のベルト８１を掛けることで箱枠状の収容部３を建物９１の屋根９２まで吊り上げることが可能になる。そのため、地上にて箱枠状の収容部３から太陽電池パネル２を荷解きして、太陽電池パネル２を１枚ずつバラバラに屋根９２まで運ぶ必要がなくなり、収容部３ごと一気に複数枚の太陽電池パネル２をまとめて屋根９２まで運ぶことができるようになる。
【００８４】
この際、吊上用のベルト８１をベルトガイド８２，８３に掛けることで、箱枠状の収容部３にベルト８１を掛ける作業が容易になると共に、掛けたベルト８１の位置がズレることがなくなるので、収容部３や太陽電池パネル２に無用な負荷を与えるのを防止することができ、太陽電池パネル２を損傷することなく安定して収容部３を吊り上げることができる。
【００８５】
（効果１２）箱枠状の収容部３が、建物９１の屋根９２を構成する屋根フレーム９３の上に載置可能な設置足９４を下部に有するようにした。これにより、箱枠状の収容部３を、複数枚の太陽電池パネル２を収容した状態のまま建物９１の屋根９２を構成する屋根フレーム９３の上に直接載置することが可能となる。そして、屋根９２の上にて収容部３から太陽電池パネル２を取り出しながら屋根９２に対する太陽電池パネル２の取付けを行うことができるようになるので、作業効率を大幅に向上することができる。
【００８６】
（効果１３）この実施例の建物９１の施工方法では、太陽電池輸送架台１を、建物９１の屋根９２を構成する屋根フレーム９３の上で、且つ、予め太陽電池パネル２が設置されていない部分１０１の水上パネル１０２と水下パネル１０３との境界部１０４に載置し、太陽電池輸送架台１の側部から内部に収容されている太陽電池パネル２を横へ取り出して、屋根フレーム９３間の予め太陽電池パネル２が設置されていない部分１０１に直接設置するようにした。
【００８７】
これにより、屋根フレーム９３の上に載置した太陽電池輸送架台１の側部から太陽電池パネル２を横に取り出しながら屋根９２の施工をダイレクトに行うことができるようになるため、屋根９２の上での太陽電池パネル２の取り出しが容易で、作業効率を大幅に向上することができる。この際、太陽電池輸送架台１を屋根フレーム９３の上で、且つ、予め太陽電池パネル２が設置されていない部分１０１の水上パネル１０２と水下パネル１０３との境界部１０４に載置することで、太陽電池輸送架台１によって予め設置されている太陽電池パネル２を損傷するのを防止することができる。
【００８８】
（効果１４）この実施例の建物９１によれば、太陽電池輸送架台１を用いて太陽電池パネル２が施工された屋根９２を有することにより、上記と同様の作用効果を得ることができ、施工コストの削減および施工時間の短縮を図ることができる。
【００８９】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００９０】
１      太陽電池輸送架台
２      太陽電池パネル
３      収容部
４      パネル保持部
１１    下部フレーム
１２    門型のフレーム
１２ａ  コーナー部
１３    連結部材
１４    下部仕切部材
１５    上部仕切部材
１６    干渉しない間隔
２１    緩衝材
４１    下部パネルガイド
４２    上部パネルガイド
５１    底面部
６１    運搬機
６２    支持腕部
６３    腕挿入部
７１    補強部
８１    ベルト
８２    ベルトガイド
８３    ベルトガイド
９１    建物
９２    屋根
９３    屋根フレーム
９４    設置足
１０１  太陽電池パネルが設置されていない部分
１０２  水上パネル
１０３  水下パネル
１０４  境界部
【図１】
2018104080.tif 000003
【図２】
2018104080.tif 000004
【図３】
2018104080.tif 000005
【図４】
2018104080.tif 000006
【図５】
2018104080.tif 000007
【図６】
2018104080.tif 000008
【図７】
2018104080.tif 000009
【図８】
2018104080.tif 000010
【図９】
2018104080.tif 000011
【図１０】
2018104080.tif 000012
【図１１】
2018104080.tif 000013
【図１２】
2018104080.tif 000014
【図１３】
2018104080.tif 000015
【図１４】
2018104080.tif 000016
【図１５】
2018104080.tif 000017
【図１６】
2018104080.tif 000018
【図１７】
2018104080.tif 000019